(57)【要約】【課題】  コンテンツを再生するたびに再生設定条件を入力しないで、ユーザーの好みでの設定で再生するもしくは中断時点からの再生をすることができるコンテンツ再生装置およびコンテンツの再生方法を提供することを目的とする。【解決手段】  コンテンツ再生装置（１）は再生時に再生条件設定部（７）でユーザーが好みの再生設定条件を設定し、再生条件制御部（８）によりコンテンツＩＤに対応した再生設定条件の情報テーブルを記録部（９）を保存する。これにより、例えば、再び、同じコンテンツＩＤがディスクドライブ（２）で読み出された場合に、このコンテンツＩＤに対応した再生設定条件をコンテンツ再生装置（１）が自動的に設定するので、ユーザーは再度同じ再生設定条件を入力しないで好みの再生設定条件でコンテンツを再生すことが可能となる。【選択図】  図１
2006018859.tif 000002
【特許請求の範囲】
【請求項１】
複数のデジタルデータからなる主情報とこの主情報を管理する管理情報、およびこれらの情報を一まとまりとして識別する識別情報とを含むコンテンツから少なくとも前記管理情報および前記識別情報を読み出す読出手段と、
前記読出手段から読み出された情報により再生設定条件を設定する設定手段と、
前記設定手段で設定された前記再生設定条件を前記識別情報に対応して保存する記録手段と、
前記記録手段に保存された前記識別情報が前記読出手段によって読出された場合に前記記録手段に保存されている前記識別情報に対応した再生設定条件で前記主情報を再生する再生手段とを具備することを特徴とするコンテンツ再生装置。
【請求項２】
前記複数のデジタルデータは少なくとも画像データ、音声データ、および付加情報データから構成されていることを特徴とする請求項１に記載のコンテンツ再生装置。
【請求項３】
前記再生設定条件は前記付加情報データに含まれる字幕、言語、映像モードおよび前記コンテンツの再生を中断した時点を特定する情報の中から少なくとも一つからなる情報および前記識別情報を含んでいることを特徴とする請求項２に記載のコンテンツ再生装置。
【請求項４】
前記記録手段に保存されている前記再生設定条件のデータを他の機器に転送する通信手段とをさらに具備することを特徴とする請求項１に記載のコンテンツ再生装置。
【請求項５】
複数のデジタルデータからなる主情報とこの主情報を管理する管理情報、およびこれらの情報を一まとまりとして識別する識別情報とを含むコンテンツから各情報を読み出す読出手段と、
前記読出手段から読み出された情報により再生設定条件およびユーザーを特定するユーザーＩＤを設定する設定手段と、
前記設定手段で設定された前記再生設定条件を前記ユーザーＩＤおよび前記識別情報に対応して保存する記録手段と、
前記記録手段に保存された前記識別情報が前記読出手段によって読出され、前記ユーザーＩＤが前記設定手段に設定された場合に、前記記録手段に保存されている前記ユーザーＩＤおよび前記識別情報に対応した再生設定条件で前記主情報を再生する再生手段とを具備することを特徴とするコンテンツ再生装置。
【請求項６】
複数のデジタルデータからなる主情報とこの主情報を管理する管理情報、およびこれらの情報を一まとまりとして識別する識別情報とを含むコンテンツを再生するコンテンツ再生装置において、
前記コンテンツから少なくとも前記識別情報を読み出す読出手段と、
前記読み出された前記識別情報を前記識別情報に対応した再生設定条件を保存している前記コンテンツ再生装置以外の他の機器に転送するデータ通信手段と
読み出された前記識別情報に対応した再生設定条件を前記コンテンツ再生装置以外の他の機器より取得するデータ取得手段と、
前記データ取得手段より得られた前記識別情報に対応した再生設定条件で前記主情報を再生手段とを具備することを特徴とするコンテンツ再生装置。
【請求項７】
前記コンテンツ再生装置以外の機器は携帯電話もしくはメモリーカードであり、それらは少なくとも前記再生設定条件を保存する記録部、および前記コンテンツ再生装置に対して前記再生設定条件のデータを転送する通信手段を具備していることを特徴とする請求項７に記載のコンテンツ装置。
【請求項８】
複数のデジタルデータからなる主情報とこの主情報を管理する管理情報、およびこれらの情報を一まとまりとして識別する識別情報とを含むコンテンツから少なくとも前記管理情報および前記識別情報を読み出すステップと、
前記読み出された情報により再生設定条件を設定するステップと、
前記設定された前記再生設定条件を前記識別情報に対応して保存するステップと、
前記保存された前記識別情報が読み出された場合に保存されている前記識別情報に対応した再生設定条件で前記主情報を再生するステップとを具備することを特徴とするコンテンツの再生方法。
【請求項９】
複数のデジタルデータからなる主情報とこの主情報を管理する管理情報、およびこれらの情報を一まとまりとして識別する識別情報とを含むコンテンツから各情報を読み出すステップと、
ユーザーを特定するユーザーＩＤを設定するステップと、
前記読出された情報により再生設定条件を設定するステップと、
前記設定された前記再生設定条件を前記識別情報および前記ユーザーＩＤに基づいて保存するステップと、
前記保存された前記識別情報が読み出され、前記ユーザーＩＤが設定された場合に保存されている前記識別情報および前記ユーザーＩＤに対応した再生設定条件で前記主情報を再生するステップとを具備することを特徴とするコンテンツの再生方法。
【請求項１０】
複数のデジタルデータからなる主情報とそれらのデータを管理する管理情報、およびそれらの情報を一まとまりとして識別する識別情報とを含むコンテンツをコンテンツ再生装置に挿入するステップと
前記コンテンツ再生装置で前記情報から少なくとも識別情報を読み出すステップと、
前記読み出された識別情報を前記コンテンツ再生装置以外の他の機器に転送するステップと、
前記他の機器に保存されている前記読み出された識別情報に対応した再生設定条件を取得するステップと、
前記他の機器より取得した前記再生設定条件によって、前記主情報を再生するステップとを具備することを特徴とするコンテンツの再生方法。
【発明の詳細な説明】
【技術分野】
【０００１】
本発明は画像および音声などのコンテンツ情報の再生が可能なコンテンツ再生装置およびコンテンツの再生方法に関する。
【背景技術】
【０００２】
最近、ＭＰＥＧ規格に基いて符号化された画像および音声などのコンテンツ情報を再生するコンテンツ再生装置が市場に多くでてきている。例えば、ＭＰＥＧ−２規格を満足するデータストリームが記録されたデジタル・ストレージ・メディアのコンテンツ再生装置としてＤＶＤ再生装置等がある。
【０００３】
例えばＤＶＤ再生装置で再生されるデジタル・ストレージ・メディアには、ＤＶＤ規格等でデータが記録されており、これは符号化された画像データや音声データ、その他の付加情報データが個々のデータストリームを多重化して形成されている。また、各画像データや音声データ、その他の付加情報データは管理情報等で制御、管理されている。
【０００４】
デジタル・ストレージ・メディアに記録されているプログラムストリーム形式のデータは、対応のコンテンツ再生装置によって管理情報が読み取られ、ユーザーの指示等により選択されたデータが復号され、一度デコーダ等で画像データと音声データとその他の付加情報データに分かれる。その後、ＰＥＳパケット等のＰＥＳパケットヘッド内に記述されているＤＴＳ（デコード・タイム・スタンプ）の時刻とＰＴＳ（プレゼンテーション・タイム・スタンプ）の時刻に対応して、復号されて再生される。
【０００５】
前述のＰＥＳパケットヘッド内のＤＴＳおよびＰＴＳによって復号、再生時刻が制御され、画像、音声データに、字幕、言語等の付加情報データを同期させて再生を行うことができる。
【発明の開示】
【発明が解決しようとする課題】
【０００６】
従来のコンテンツ再生装置では、デジタル・ストレージ・メディアを再生する場合、管理情報が読み取られると、テレビ等の受像手段の画面に字幕、言語、映像モード（例えば、映画モード、マルチアングル等）等の再生設定条件が表示される。ユーザーは指示に従い、コンテンツ再生装置に備え付けられているリモコン等の操作手段を操作して好みの字幕、言語、映像モードを選択して、デジタル・ストレージ・メディアを再生する。また、ここで、ユーザーが特に指示しない場合は、映画会社等のメディア製作者等が初期設定した字幕、言語、映像モードで再生することになる。しかしながら、ユーザーが用事等で再生中のデジタル・ストレージ・メディアの再生を中断し、コンテンツ再生装置の電源を切ったり、また別のデジタル・ストレージ・メディアを再生した後にまた元のデジタル・ストレージ・メディアを再生する場合、ユーザーはその都度、操作手段等で上記の再生設定条件を好みの再生条件に設定しなおさなければならない。即ち再度、同じデジタル・ストレージ・メディアまたはそれに含まれるコンテンツを再生するのに再生設定条件をユーザーが指示しなおさなければならないという煩わしさがあった。
【０００７】
また、再生中のデジタル・ストレージ・メディアの再生を中断し、コンテンツ再生装置の電源を切ったり、デジタル・ストレージ・メディアを一度、コンテンツ再生装置の外に出してしまうと、再度同じデジタル・ストレージ・メディアまたはそれに含まれるコンテンツを再生する場合、チャプター毎の頭出ししかできず、再生を中断した時点からの再生はできないという問題があった。
【０００８】
本発明は上記問題点を解決するためになされたもので、再度、同じコンテンツを再生するたびに再生設定条件を入力しないで、ユーザーの好みでの設定条件で再生するもしくは中断時点からの再生をすることができるコンテンツ再生装置およびコンテンツの再生方法を提供することを目的とする。
【課題を解決するための手段】
【０００９】
上記目的を達成するために第１の本発明によるコンテンツ再生装置は複数のデジタルデータからなる主情報とこの主情報を管理する管理情報、およびこれらの情報を一まとまりとして識別する識別情報とを含むコンテンツから少なくともこの管理情報および識別情報を読み出す読出手段と、この読出手段から読み出された情報により再生設定条件を設定する設定手段と、この設定手段で設定された再生設定条件を識別情報に対応して保存する記録手段と、この記録手段に保存された識別情報が読出手段によって読出された場合に記録手段に保存されている識別情報に対応した再生設定条件で主情報を再生する再生手段とを具備することを特徴とする。
【００１０】
また、上記目的を達成するための第２の本発明によるコンテンツ再生装置は複数のデジタルデータからなる主情報とこの主情報を管理する管理情報、およびこれらの情報を一まとまりとして識別する識別情報とを含むコンテンツから各情報を読み出す読出手段と、この読出手段から読み出された情報により再生設定条件およびユーザーを特定するユーザーＩＤを設定する設定手段と、この設定手段で設定された再生設定条件をユーザーＩＤおよび識別情報に対応して保存する記録手段と、この記録手段に保存された識別情報が読出手段によって読出され、ユーザーＩＤが設定手段に設定された場合に、記録手段に保存されているユーザーＩＤおよび識別情報に対応した再生設定条件で主情報を再生する再生手段とを具備することを特徴とする。
【００１１】
さらに上記目的を達成するための第３の本発明によるコンテンツ再生装置は複数のデジタルデータからなる主情報とこの主情報を管理する管理情報、およびこれらの情報を一まとまりとして識別する識別情報とを含むコンテンツを再生するコンテンツ再生装置において、このコンテンツから少なくとも前記識別情報を読み出す読出手段と、この読み出された識別情報を識別情報に対応した再生設定条件を保存しているコンテンツ再生装置以外の他の機器に転送するデータ通信手段と、読み出された識別情報に対応した再生設定条件をコンテンツ再生装置以外の他の機器より取得するデータ取得手段と、データ取得手段より得られた識別情報に対応した再生設定条件で主情報を再生手段とを具備することを特徴とする。
【００１２】
さらに、上記目的を達成するための第４の本発明によるコンテンツの再生方法は複数のデジタルデータからなる主情報とこの主情報を管理する管理情報、およびこれらの情報を一まとまりとして識別する識別情報とを含むコンテンツから少なくとも前記管理情報および前記識別情報を読み出すステップと、この読み出された情報により再生設定条件を設定するステップと、
設定された再生設定条件を識別情報に対応して保存するステップと、保存された前記識別情報が読み出された場合に保存されている識別情報に対応した再生設定条件で主情報を再生するステップとを具備することを特徴とする。
【００１３】
また、上記目的を達成するための第５の本発明によるコンテンツの再生方法は複数のデジタルデータからなる主情報とこの主情報を管理する管理情報、およびこれらの情報を一まとまりとして識別する識別情報とを含むコンテンツから各情報を読み出すステップと、ユーザーを特定するユーザーＩＤを設定するステップと、この読出された情報により再生設定条件を設定するステップと、設定された再生設定条件を識別情報およびユーザーＩＤに基づいて保存するステップと、保存された識別情報が読み出され、ユーザーＩＤが設定された場合に保存されている識別情報およびユーザーＩＤに対応した再生設定条件で主情報を再生するステップとを具備することを特徴とする。
【００１４】
さらに、上記目的を達成するための第６の本発明によるコンテンツの再生方法は複数のデジタルデータからなる主情報とそれらのデータを管理する管理情報、およびそれらの情報を一まとまりとして識別する識別情報とを含むコンテンツをコンテンツ再生装置に挿入するステップと、コンテンツ再生装置で前記情報から少なくとも識別情報を読み出すステップと、読み出された識別情報をコンテンツ再生装置以外の他の機器に転送するステップと、他の機器に保存され、読み出された識別情報に対応した再生設定条件を取得するステップと、他の機器より取得した再生設定条件によって、主情報を再生するステップとを具備することを特徴とする。
【発明の効果】
【００１５】
本発明によれば、コンテンツ毎に再生設定条件を記録することができるので、再度コンテンツを再生する場合でも、再び、再生設定条件を設定しないでユーザーの好みの設定条件でコンテンツを再生することができる。
【００１６】
また、本発明によれば、コンテンツ毎に再生の中断した時点を記録することができるので、再度コンテンツを再生する場合に中断した時点からの再生することができる。
【発明を実施するための最良の形態】
【００１７】
以下、本発明の一実施例の形態によるコンテンツ再生装置およびそのコンテンツ再生設定条件の処理方法を図面を用いて詳細に説明する。本実施形態は、ＭＰＥＧ−２規格のＰＳ方式でデータが記録されているデジタル・ストレージ・メディアを用いた場合のコンテンツ再生装置に本発明を適用した例である。
【００１８】
まず、図１を参照して、コンテンツ再生装置の構成の概要を説明する。図１は本発明の一実施例の形態におけるＤＶＤ再生装置の構成を示す概要図である。ＤＶＤ再生装置１には、デジタル・ストレージ・メディア、例えばＤＶＤの記録済みのデータを読み取るためのディクスドライブ２があり、システムコントローラ３と、バッファメモリ４、および再生手段としてのデコーダ５とがある。デコーダ５は画像データ、音声データ、その他の付加情報データをそれぞれ対応するバッファおよびデコーダで復号し、バックエンドプロセッサ６に入力する。バックエンドプロセッサ６は入力されたデータに基いてテレビ等の受像機に画像、音声を出力する。またＤＶＤ再生装置に予め備えられているリモコン、またはコンテンツ再生装置に備え付けられている操作ボタン等の再生条件設定部７、再生設定条件の情報テーブルの作成等を行う再生条件制御部８、情報テーブルを保存する記録部９を備え、さらにデコーダ内の基本となる同期信号で時刻基準を作成するＳＴＣ（システム・タイム・クロック）１０とを備えている。ここで、再生条件制御部８および記録部９がコントロールシステム３に含まれるような構成として、コントロールシステム３において再生設定条件の情報テーブルを作成したり、保存したりする機能を持たせてもよい。
【００１９】
上述の構成においてディスクドライブ２はＤＶＤの記録済みのデータを読み出し、ストリームデータとしてバッファメモリ４に出力する。これによりバッファメモリ４はディスクドライブ２から出力されたストリームデータを一時的に記録する。さらにディスクドライブ２で読み出したデータ中の管理情報（例えば、コンテンツＩＤ（後で詳細に説明する。）、字幕、言語、映像モードの管理情報）をシステムコントローラ３へ送信する。このシステムコントローラ３ではこの管理情報に基づいて、ユーザー用の選択画面をテレビ等の受像機の画面に表示する。
【００２０】
ここで、ＤＶＤ再生装置に予め備えられているリモコン、またはコンテンツに備え付けられている操作ボタン等の再生条件設定部７を選択画面に基づいて操作し、ユーザーの好みの再生設定条件（例えば、字幕、言語、映像モード）を設定する。再生条件制御部８は設定された再生設定条件の情報テーブルを作成し、記録部９にその情報テーブルを記録する。一方、再生条件設定部７で設定した再生設定条件はシステムコントローラ３を介して、バッファメモリ４で選択されたデータのみがデコーダ５に供給される。
【００２１】
デコーダ５で得られた画像データ、音声データ、その他の付加情報データのそれぞれが、ビデオバッファ、オーディオバッファ、サブピクチャーバッファ（図示しない。）を介して、ビデオデコーダ、オーディオデコーダ、サブピクチャーデコーダ（図示しない。）のそれぞれで復号され、バックエンドプロセッサー６に入力される。
【００２２】
バックエンドプロセッサー６では、デコーダ５で復号されたデータをそれぞれ合成して、テレビ等の受像手段にユーザーが設定した再生設定条件に基づいた画像、音声を出力する。
【００２３】
さらにシステムコントローラ３はデコーダ５から出力されるＰＴＳデータ、ＤＴＳデータおよびデコーダ内の基本となる同期信号で時刻基準を作成するＳＴＣ（システムタイムクロック）１０をセットするの基準時間ＳＣＲとに基づいてデコーダ５を適正に制御し、さらにこれらのＰＴＳデータ、ＤＴＳデータは再生条件制御部８との間で相互制御されている。
【００２４】
つまり、システムコントローラ３からの再生設定条件によりバッファメモリ４で選択されたデータは、その後デコーダ５において、ＰＥＳパケットヘッドに記録されているストリームＩＤに基づいて、画像データ、音声データ、その他の付加情報データ等のデータストリームに復号され、その時に各データ等の復号と再生時刻を管理するシステムコントローラ３はＰＥＳパケットヘッドに記録されているＰＴＳデータとＤＴＳデータを読み出し、その情報に基づいて映像、音声、その他の付加情報データを同期再生させる。
【００２５】
次に、このＤＶＤ再生装置が対応するＤＶＤ規格における物理フォーマットについて図２を用いて説明する。図２はＤＶＤに記録されたＤＶＤ規格における物理フォーマットを示す図である。
【００２６】
図２に示すように、ＤＶＤ規格によって記録されたＤＶＤ１００にはその最内周部にはリードインエリア、最外周部にはリードアウトエリアがあり、その間に、画像・音声データがそれぞれにＩＤ（識別）番号（以下、コンテンツＩＤという）を有する複数のコンテンツ１０１（コンテンツＮｏ．１ないしコンテンツＮｏ．ｎ）に分割されて記録されている。ここで、コンテンツとは関連する画像データ、音声データおよびその他の付加情報データ（例えば、映画における字幕等のサブピクチャーの情報をいう。）を含み、仕様、対応言語等の属性が同じものである。また、映画会社等のメディア作製者がユーザーに提示しようとする一つの作品、タイトルとして一つに纏めたセットである。さらにコンテンツ１０１が記録されている領域の直前にはビデオマネージャー１０２が記録されている。このビデオマネージャー１０２として記録される情報であるＶＭＧＩ（ビデオ・マネージャー・インフォメーション）として、例えば、各コンテンツの名前を示すメニュー、違法コピー防止のためのセミュリティ情報、またはそれぞれのコンテンツにアクセスするためのテーブル、さらにこれら情報のバックアップ情報等のこのＤＶＤ１００に記録されているコンテンツの画像・音声データの全体に係る管理情報が含まれている。
【００２７】
また、ビデオマネージャー１０２とリードインエリアとの間には、ＤＶＤ１００に記録されているデータ全体を識別するためのボリューム情報１０３とビデオマネージャー１０２および各コンテンツ１０１におけるデータのファイル構造を示すファイルシステム情報１０４とがそれぞれ記録されている。
【００２８】
上記コンテンツ１０１は、コントロールデータ１１０とＶＯＢＳ（ビデオ・オブジェクト・セット）１１１とに分割されて記録されており、このＶＯＢＳ１１１はそれぞれにＩＤ番号を有する複数のＶＯＢ（ビデオ・オブジェクト）１１２に分割されている。このＶＯＢ１１２はそれぞれにＩＤ番号を有する複数の情報単位としてのセル１２０により構成されている。さらにこのセル１２０は複数の情報単位としてのＶＯＢＵ（ビデオオブジェクトユニット）１３０により構成されている。ここで、ＶＯＢＵ１３０とは画像・音声データを含む単位情報である。
【００２９】
そして一つのＶＯＢＵ１３０はＶＯＢＵ１３０に含まれるデータを制御対象とする制御情報が格納されている制御情報パック１４０と画像データを含む複数のビデオパック１４１、音声データを含むオーディオパック１４２、その他の付加情報データを含む複数のサブピクチャーパック１４３で構成されている。ここでその他の付加情報データとは字幕等の補助的な内容を有するものである。
【００３０】
次に各パック構造について図３を用いて説明する。図３はＶＯＢＵを構成するビデオパックの構造を示す図である。ビデオパック２００は１つのパックヘッダ２０１と複数のＰＥＳパケット２０２から構成されている。パックヘッダ２０１には、基準時間を示すＳＣＲ（システム・クロック・リファレンス）情報２１１が挿入されている。ＰＥＳパケット２０２は、ＰＥＳパケットヘッダ２０３およびエレメンタリストリーム２０４で構成されている。このＰＥＳパケットヘッダ２０３にはストリームＩＤ２３１および画像データと合わせ、画像の提示時刻を示すＰＴＳ２３２と復号開始時刻を示すＤＴＳ２３３等が挿入されている。
【００３１】
ここで、ＤＶＤ再生時に再生設定条件の情報テーブルを作成し、その設定された再生設定条件でＤＶＤを再生する手順を図４に示すフローチャートで説明する。図４は本発明の一実施例の形態におけるＤＶＤ再生時に再生設定条件の情報テーブルを作成し、ＤＶＤを再生する手順を示すフローチャートである。ステップＳ１でまずコンテンツ再生装置、例えばＤＶＤ再生装置にコンテンツが既に記録されているＤＶＤを挿入する。その後、ステップＳ２においてＤＶＤ再生装置のディスクドライブ１により得られたデータの中からコンテンツＩＤを取得する。次にステップＳ３においてコンテンツＩＤに対応する再生設定条件の情報テーブルが記録部９に存在しているかどうかを判定し、ＹＥＳの場合は、ステップＳ６に進んで情報テーブルの中から、コンテンツＩＤに対応した字幕、言語、映像モード等の再生設定条件を取得し、ＤＶＤ再生装置は自動的にコンテンツＩＤに対応した再生設定条件を設定する。次にステップＳ７において保存されている情報テーブルをテレビ等の画面に表示して再生設定条件を確認し、そしてステップＳ８において設定された再生設定条件でＤＶＤを再生する。一方、ステップＳ３においてＮＯの場合にはステップＳ４においてユーザーはＤＶＤ再生装置のリモコン等を使用して、字幕、言語、映像モード等の再生設定条件を設定して、再生設定条件を決める。ステップＳ５においてＤＶＤ再生装置では再生条件制御部８がＤＶＤから取得したコンテンツＩＤに対応して、ユーザーの設定した字幕、言語、映像モード等の再生設定条件を情報テーブルとして作成し、この情報テーブルを記録部９に保存する。その後ステップＳ６、Ｓ７、Ｓ８に進み情報テーブルの中からコンテンツＩＤに対応した再生設定条件でＤＶＤを再生する。
【００３２】
ここで、本実施例では、保存する情報テーブルの再生設定条件として、コンテンツ毎に対応した字幕、言語、映像モードを挙げて説明したが、再生設定条件として再生を中断した場所を示すデータを追加してもよい。具体的には、上述したとおり、デコーダ５において、ＰＥＳパケットヘッドに記録されているストリームＩＤに基づいて、画像データ、音声データ、その他の付加情報データ等のデータストリームに復号され、その時にシステムコントローラ３はＰＥＳパケットヘッドに記録されているＰＴＳデータとＤＴＳデータを読み出し、その情報に基づいて画像、音声、その他の付加情報データを同期再生している。このシステムコントローラ３が呼び出したＰＴＳデータおよびＤＴＳデータを再生条件制御手段８へ出力する。再生条件制御手段８はコンテンツＩＤに対応した字幕、言語、映像モードと同様に再生が中断した時点のＰＴＳデータおよびＤＴＳデータの情報に基づいて再生設定条件の情報テーブルを作成し、記録部９に情報テーブルとして保存することもできる。
【００３３】
この記録部９で保存される情報テーブルは例えば図５で示すように作成される。ここで、図５は本発明の一実施の形態における再生設定条件の情報テーブル例を示す。コンテンツＩＤに対応して、例えば、タイトル、字幕、言語、映像モード、再生中断情報についてテーブルを作成し、コンテンツ毎にユーザーの好みの再生設定条件を保存しておく。
【００３４】
また、設定した再生設定条件を編集または削除する手順について図６に示すフローチャートで説明する。ここで、図６は本発明の一実施の形態による設定した再生設定条件を編集または削除するフローチャートである。上述した基本的な手順において保存されている再生設定条件を確認するステップＳ７と設定した再生設定条件でＤＶＤを再生するステップＳ８の間に以下のステップを追加することで再生設定条件の情報テーブルを編集、削除を行うことができる。まずステップＳ７において保存されている再生設定条件をテレビ等の画面に表示する。表示された情報テーブルの再生設定条件を編集（変更）したい場合、編集モードを選択する。つまりステップＳ９において編集するか判定する。ＹＥＳの場合は、ステップＳ１０おいて、ユーザーはそのコンテンツの再生設定条件を編集して設定する。そして、ステップＳ１１でＤＶＤ再生装置はＤＶＤから取得したコンテンツＩＤに対応して、ユーザーが新たに設定した再生設定条件について情報テーブルを作成して保存する。その後ステップ１２において保存された情報テーブルをテレビ等の画面に表示して再度再生設定条件を確認し、そしてステップＳ８において設定された再生設定条件でＤＶＤを再生する。進む。もしステップＳ９においてＮＯの場合はステップＳ８に進み予め設定された再生設定条件でＤＶＤを再生する。ここで、編集、削除するのはコンテンツＩＤ毎の情報テーブルの項目毎に選択して項目毎に編集を行うようにすることができ、必要のない項目については削除することもできる。
【００３５】
このようにして、本実施例では、コンテンツ毎に再生設定条件の情報テーブルを作成し、情報テーブルをＤＶＤ再生装置に保存しておくことできるので、同じＤＶＤもしくはコンテンツを再度再生する場合でも、ユーザーは好みの再生設定条件を再度設定することなく、再生ボタンを押せば、自動的に好みの再生設定条件で再生することができる。また、再生が中断した時点のＰＴＳデータおよびＤＴＳデータを情報テーブルに保存することによって、再生を中断しても、再度同じＤＶＤ、コンテンツを再生する場合、再生を指示するだけで、ユーザーの好みの再生設定条件で中断した時点より再生することが可能となった。従って、再生設定条件を再度入力したり、決められたチャプター毎でしか再生開始が指示できなかったりするユーザーの煩わしさを解決することができる。さらに情報テーブルを再生する前に確認画面で出すことにより、もし再生設定条件を編集したい場合でもすぐに編集したいところだけを編集、削除することが可能となる。
【００３６】
また他の実施例として、複数のユーザーでＤＶＤ再生装置を使用する場合について図７に示すフローチャートで説明する。ここで、図７は本発明の一実施の形態によるＤＶＤ再生時に複数のユーザーに対応した再生設定条件の情報テーブルを作成、再生するフローチャートを示す。ここで、これ以降の実施例は、再生設定条件としての情報テーブルの項目として、上述で説明したように字幕、言語、映像モードとともに再生中断データを使用することも可能であるが、説明を簡単にするために再生設定条件としてはコンテンツＩＤに対応した字幕、言語、映像モードのみで説明する。
【００３７】
ステップＳ２０でまずＤＶＤ再生装置にＤＶＤを挿入する。その後、ステップＳ２１においてＤＶＤ再生装置のディスクドライブ１により得られたコンテンツＩＤを取得する。次にステップＳ２２においてユーザーＩＤ、例えばユーザー名（父、母、息子等）をＤＶＤ再生装置に入力する。ステップＳ２３においてＤＶＤ再生装置はユーザーＩＤに対応した情報テーブルにアクセスする。それからステップＳ２４においてコンテンツＩＤに対応する情報テーブルが記録部５に存在しているかどうかを判定し、ＹＥＳの場合は、ステップＳ２７に進んで情報テーブルの中から、コンテンツＩＤに対応した字幕、言語、映像モード等の管理情報を取得し、ＤＶＤ再生装置は自動的に情報テーブルに対応した再生設定条件を設定する。次にステップＳ２８において保存されている情報テーブルをテレビ等の画面に表示して再度再生設定条件を確認し、そしてステップＳ２９において設定された再生設定条件でＤＶＤを再生する。ステップＳ２４においてＮＯの場合にはステップＳ２５においてユーザーはリモコン等を使用して、字幕、言語、映像モード等の再生設定条件を設定して、再生設定条件を決める。ステップＳ２６においてＤＶＤ再生装置では再生条件制御部８はＤＶＤから取得したコンテンツＩＤに対応して、ユーザーの設定した字幕、言語、映像モード等の再生設定条件を情報テーブルとして作成し、この情報テーブルをユーザーＩＤ毎に記録部９に保存する。その後ステップＳ２７、Ｓ２８、Ｓ２９に進みユーザーＩＤ毎の情報テーブルの中からコンテンツＩＤに対応した再生設定条件でＤＶＤを再生する。
【００３８】
このようにして本実施例では、複数のユーザーが１つのＤＶＤ再生装置を使用する場合でも、ユーザー別にコンテンツＩＤに対応した再生設定条件の情報テーブルを作成し、情報テーブルをＤＶＤ再生装置に保存しておくことできるので、同じＤＶＤもしくはコンテンツを再度再生する場合でも、各ユーザーのそれぞれ違った好みの再生設定条件を再度設定することなく、自分のユーザーＩＤを入力して再生ボタンを押せば、自動的に各ユーザの好みの再生設定条件で再生することができる。また上述したように一度設定した再生設定条件は編集モードにより、ユーザーが自分の情報テーブルを編集することも可能である。しかし、情報テーブルがユーザー別に作成され、ユーザーＩＤで管理されていることから、他のユーザーが自分の再生設定条件を勝手に編集されたりする問題はない。
【００３９】
次に作成した再生設定条件の情報テーブルを他の機器、例えば、携帯電話等に転送して、情報テーブルを特定のＤＶＤ再生装置ではなく、情報テーブルのデータが転送される不特定のＤＶＤ再生装置を使用する場合についての実施例について説明する。ここで、本実施例では、無線通信方式としてのＢｌｕｅｔｏｏｔｈＴＭ無線通信機能を使用した場合について説明する。
【００４０】
まず、ＢｌｕｅｔｏｏｔｈＴＭ無線通信機能を搭載したＤＶＤ再生装置で作成した再生条件設定の情報テーブルをＢｌｕｅｔｏｏｔｈＴＭ無線通信機能を搭載した携帯電話に転送する場合のＤＶＤ再生装置と携帯電話との関係を示すシステム概要について図８を用いて説明する。図８は本発明の一実施の態様によるＤＶＤ再生装置と携帯電話との通信等のやり取りを示す概要図である。図８に示すＤＶＤ再生装置１ａは図１で説明したＤＶＤ再生装置とをほぼ同じ構成をしており、同じ構成については同じ符号を示し、説明は省略する。ここで本実施例のＤＶＤ再生装置１ａでは図１で説明した構成以外にＢｌｕｅｔｏｏｔｈＴＭ無線通信機能を有する通信手段１１に含んでおり、後で説明する認証手続、およびデータの送受信の制御をシステムコントローラ３とともに制御する。一方、携帯電話２０にもＢｌｕｅｔｏｏｔｈＴＭ無線通信機能を有する通信手段２１を有し、認証手続、およびデータの送受信の制御を行う。また携帯電話２０にはデータ、例えば再生設定条件の情報テーブルを制御する再生条件制御手段２２を有し、さらに情報テーブルを保存しておく記録部２３を有している。この再生条件制御手段２２には、情報テーブルを検索したり、管理したりする機能、および再生設定条件を設定する機能等がある。また通信手段２１にはＤＶＤ再生装置１ａの再生を無線で制御する再生制御機能も有している。
【００４１】
ここでＢｌｕｅｔｏｏｔｈＴＭの認証方法について以下に説明する。認証方法はＢｌｕｅｔｏｏｔｈＴＭ無線通信機能を有する機器の固有ＩＤである”Ｍａｃアドレス”とユーザーによって入力されるパスワード”ピンコード”の組み合わせで“リンクキー”を作成することによって無線通信したい機器同士を相互に無線で接続する。一度リンクキーを作成すれば、ユーザーはピンコードを入力することなく認証可能な機器として登録されるので、接続可能対象機器となる。ここで、ＢｌｕｅｔｏｏｔｈＴＭ無線通信機能を有する機器同士、例えばＤＶＤ再生装置と携帯電話の認証手続について図９を用いて詳細に説明する。図９は本発明の一実施の形態によるＤＶＤ再生装置と携帯電話を認証する場合のＤＶＤ再生装置側でのＢｌｕｅｔｏｏｔｈＴＭの認証作業についてのフローチャートである。ステップＳ３１においてＢｌｕｅｔｏｏｔｈＴＭを起動して通信可能な範囲にある機器全てをサーチする。次にステップＳ３２において接続したい携帯電話に対するリンクキーが存在するかどうか確認する。ＮＯの場合はステップＳ３３に進み、接続したい携帯電話に対するリンクキーを作成するかどうか確認する。ＹＥＳの場合はステップＳ３４において自分（ＤＶＤ再生装置）のＭａｃアドレスを取得する。そしてステップＳ３５においてユーザーはピンコードを入力する。それと同時にユーザーは接続したい携帯電話にも同じピンコードを入力する。ステップＳ３６においてＤＶＤ再生装置にリンクキーが作成され、ＤＶＤ再生装置内に保存される。同時に接続したい携帯電話でも携帯電話自身のＭａｃアドレスと先ほどのピンコードによりリンクキーが作成され、携帯電話内に保存される。ステップＳ３７においてＤＶＤ再生装置の表示画面に接続可能な機器として接続したい携帯電話が表示される。ステップ３８においてユーザーは接続可能となった携帯電話に接続を要求し、携帯電話が接続要求を受け入れたかどうかを判定する。ＹＥＳの場合にはステップ３９においてＤＶＤ再生装置と接続したい携帯電話において認証手続が完了する。またステップＳ３２においてリンクキーが既に存在する場合（ＹＥＳの場合）はステップＳ３７に進み、接続可能な機器として携帯電話が表示される。さらにステップＳ３８においてＮＯ場合は認証作業を終了する。
【００４２】
次に、ＢｌｕｅｔｏｏｔｈＴＭ無線通信機能を搭載したＤＶＤ再生装置で作成した再生条件設定の情報テーブルをＢｌｕｅｔｏｏｔｈＴＭ無線通信機能を搭載した携帯電話に転送する場合について図１０のフローチャートを用いて説明する。図１０は本発明の一実施の態様によるＢｌｕｅｔｏｏｔｈＴＭ無線通信機能を搭載したＤＶＤ再生装置で作成した再生条件設定の情報テーブルをＢｌｕｅｔｏｏｔｈＴＭ無線通信機能を搭載した携帯電話に転送するフローチャートを示す。
【００４３】
ステップＳ４１において転送したい携帯電話がＢｌｕｅｔｏｏｔｈＴＭのユーザー認証作業が完了しているか判断する。ＮＯの場合はステップＳ４２に進み、認定作業を開始するかどうか判断する。ＹＥＳの場合にはステップＳ４３に進み上述した図９で説明したＢｌｕｅｔｏｏｔｈＴＭ認証作業を開始する。一方ステップＳ４１で認証手続が完了している場合（ＹＥＳの場合）にはステップＳ４４に進み第１のＤＶＤ再生装置１ａにＤＶＤを挿入する。次にステップＳ４５において第１のＤＶＤ再生装置１ａはＤＶＤからコンテンツＩＤをディスクドライブ２において取得する。さらに、ステップＳ４６において、そのコンテンツＩＤを第１のＤＶＤ再生装置１ａの通信手段１１により認証された携帯電話２０に対して、転送する。次にステップＳ４７においてこの携帯電話２０において、携帯電話２０内の記録部２３に保存されている再生設定条件の情報データに、転送されてきたコンテンツＩＤがあるかどうかを携帯電話２０の再生条件制御手段２２によって確認する。ＮＯの場合にはステップＳ４８へ進み、第１のＤＶＤ再生装置１ａの記録部９に保存されたそのコンテンツＩＤに対応した再生設定条件の情報テーブルを通信手段１１によって携帯電話２０へ転送する。次にステップＳ４９において携帯電話２０側では通信手段２１により、情報テーブルを取得し、携帯電話２０の再生条件制御手段２２によってコンテンツＩＤに対応した再生設定条件の情報テーブルを携帯電話２０の記録部２３に保存する。この作業により、携帯電話２０内に再生設定条件の情報テーブルを保存することができ、情報テーブルの携帯電話２０への転送が終了する。一方ステップＳ４７においてＹＥＳの場合には情報テーブルの転送を行わない。
【００４４】
次に、ＢｌｕｅｔｏｏｔｈＴＭ無線通信機能を搭載した携帯電話に保存された再生設定条件の情報テーブルを使用して別の（特定の情報テーブルを持たない）ＢｌｕｅｔｏｏｔｈＴＭ無線通信機能を搭載したＤＶＤ再生装置において再生する場合について図１１のフローチャートを用いて説明する。図１１は本発明の一実施の態様によるＢｌｕｅｔｏｏｔｈＴＭ無線通信機能を搭載した携帯電話に保存された再生設定条件の情報テーブルを使用して別のＢｌｕｅｔｏｏｔｈＴＭ無線通信機能を搭載したＤＶＤ再生装置においてＤＶＤを再生する場合のフローチャートを示す。
【００４５】
ステップＳ５１において上述した第１のＤＶＤ再生装置１ａとは異なる第２のＤＶＤ再生装置１ａと再生設定条件の情報テーブルを保存している携帯電話２０との間でＢｌｕｅｔｏｏｔｈＴＭのユーザー認証作業が完了しているか判断する。ＮＯの場合はステップＳ５２に進み、認定作業を開始するかどうか判断する。ＹＥＳの場合にはステップＳ５３に進み上述した図９で説明したＢｌｕｅｔｏｏｔｈＴＭ認証作業を開始する。一方ステップＳ５１で認証手続が完了している場合（ＹＥＳの場合）にはステップＳ５４に進み、第２のＤＶＤ再生装置１ａにＤＶＤを挿入する。次にステップＳ５５において第２のＤＶＤ再生装置１ａはＤＶＤからコンテンツＩＤをディスクドライブ２において取得する。さらに、ステップＳ５６において、この取得したコンテンツＩＤをシステムコントロラー３を介して通信手段１１により認証された携帯電話２０に対して、転送する。次にステップＳ５７においてこの携帯電話２０において、携帯電話２０内、記録部２３に保存されている情報テーブルから、転送されてきたコンテンツＩＤがあるかどうかを携帯電話２０の再生条件設定手段２２によって確認する。このコンテンツＩＤに対応の再生設定条件がある場合（ＹＥＳの場合）にはステップＳ５８へ進み、携帯電話に保存してある再生設定条件の情報テーブルからコンテンツＩＤに対応した再生設定条件を取得する。次に携帯電話２０によるＤＶＤの再生指示により、情報テーブルの字幕、言語、映像モード等の再生設定条件のデータを通信手段１１を通じて上記認証された第２のＤＶＤ再生装置へ転送する。次にステップＳ５９において第２のＤＶＤ再生装置は携帯電話から受け取った字幕、言語、映像モード等の再生設定条件を通信手段１１で受信しシステムコントローラ３およびバファーメモリ４で設定し、その設定された条件によってＤＶＤの再生を開始する。ステップＳ５７においてＮ０の場合にはステップ６０に進み、第２のＤＶＤ再生装置に挿入されたＤＶＤの初期設定等でＤＶＤを再生する。
【００４６】
本実施例によれば、家のＤＶＤ再生装置（第１のＤＶＤ再生装置）である特定のコンテンツに対して設定した再生設定条件の情報テーブルをＢｌｕｅｔｏｏｔｈＴＭ等のデータ通信機能を使用して、携帯電話等の他の機器に転送し、保存することができる。さらに、この携帯電話を使用して、上記特定のコンテンツを含むＤＶＤを友人宅等で他のＢｌｕｅｔｏｏｔｈＴＭ無線通信機能を有するＤＶＤ再生装置（第１のＤＶＤ再生装置と異なる第２のＤＶＤ再生装置）で再生する場合、携帯電話より情報テーブルに保存されている字幕、言語、映像モードの再生設定条件の情報を友人宅のＤＶＤ再生装置（第２のＤＶＤ装置）に転送することによって、友人宅のＤＶＤ再生装置（第２のＤＶＤ装置）に転送されてきた字幕、言語、映像モードの再生設定条件の情報をもとに特定のコンテンツを再生することができる。従ってユーザーは自分の家のＤＶＤ再生装置だけでなく、友人宅のＤＶＤ再生装置においても再度、再生設定条件を入力することなく、自分の好みの再生設定条件でこのコンテンツを見ることが可能となる。つまり、携帯電話に情報テーブルを保存することによって、無線通信機能を有する他のＤＶＤ再生装置でも再生設定条件を再度入力することなく、自分の好みの再生設定条件でみることが可能になるので、再生設定条件を再度入力する煩わしさがなくなる。
【００４７】
また、本実施例では、携帯電話を使用した場合について説明したが、データを送受信でき、データを保存でき、さらにどこへでも持ち運び可能な機器であれば、携帯電話でなくでもよい。また本実施例では無線通信を使用して情報テーブル等のデータ転送を行う場合について説明したが、メモリーカード等の接触型の携帯記録媒体を使用して、情報テーブル等のデータを保存して、他のＤＶＤ再生装置にそのメモリーカードを差し込み、その他のＤＶＤ再生装置が情報テーブルの再生設定条件等のデータを取り込んでユーザーの好みの再生設定条件で特定のコンテンツを再生することで実現してもよい。
【００４８】
さらに、上述した実施例ではコンテンツＩＤに対応した再生設定条件を情報テーブルとして作成したが、ある一まとまりのデータを他のまとまりのデータと識別できる情報であれば、なんでもよく、例えば、ＤＶＤ全体を一つのデータとみて、そのＤＶＤを特定する識別情報を使用してもよい。
【００４９】
また、上述した実施例では、コンテンツ再生装置としてＤＶＤ再生装置を例にあげ、デジタル・ストレージ・メディアとしてＤＶＤを例にあげて説明したが、デジタルでデータが記録され、そのデータを管理する管理情報およびそのデータがその他のデータと識別されて記録されているメディア、なんでもよく、またコンテンツ再生装置もそのメディアに対応したコンテンツ再生装置であれば、なんでもよい。
【００５０】
また、上述した実施例には種々の段階の発明が含まれており、開示される複数の構成要件、もしくは複数の工程における適宜な組み合わせにより種々の段階の発明が抽出されえる。例えば、実施例に示される全構成要件から幾つかの構成要件もしくは全工程から幾つかの工程を削除されても、発明が解決しようとする課題の欄で述べた課題が解決でき、発明の効果の欄で述べられる効果が得られるな場合には、この構成要件もしくは工程が削除された構成が発明として抽出されえる。
【図面の簡単な説明】
【００５１】
【図１】本発明の一実施例の形態におけるＤＶＤ再生装置の構成を示す概要図。
【図２】ＤＶＤに記録されたＤＶＤ規格における物理フォーマットを示す図。
【図３】ビデオオブジェクトユニットを構成するビデオパックの構造を示す図。
【図４】本発明の一実施例の形態におけるＤＶＤ再生時に再生設定条件の情報テーブルを作成し、ＤＶＤを再生する手順を示すフローチャート。
【図５】本発明の一実施の形態における再生設定条件の情報テーブル例。
【図６】本発明の一実施の形態による設定した再生設定条件を編集または削除するフローチャート。
【図７】本発明の一実施の形態によるＤＶＤ再生時に複数のユーザーに対応した再生設定条件の情報テーブルを作成、再生するフローチャート。
【図８】本発明の一実施の態様によるＤＶＤ再生装置と携帯電話との通信等のやり取りを示す概要図。
【図９】本発明の一実施の形態によるＤＶＤ再生装置と携帯電話を認証する場合のＤＶＤ再生装置側でのＢｌｕｅｔｏｏｔｈＴＭの認証作業についてのフローチャート。
【図１０】本発明の一実施の態様によるＢｌｕｅｔｏｏｔｈＴＭ無線通信機能を搭載したＤＶＤ再生装置で作成した再生条件設定の情報テーブルをＢｌｕｅｔｏｏｔｈＴＭ無線通信機能を搭載した携帯電話に転送するフローチャート
【図１１】本発明の一実施の態様によるＢｌｕｅｔｏｏｔｈＴＭ無線通信機能を搭載した携帯電話に保存された再生設定条件の情報テーブルを使用して別のＢｌｕｅｔｏｏｔｈＴＭ無線通信機能を搭載したＤＶＤ再生装置においてＤＶＤを再生する場合のフローチャート
【符号の説明】
【００５２】
１，１ａ  ＤＶＤ再生装置  
２  ディスクドライブ
３  システムコントローラ
４  バッファメモリ
５  デコーダ
６  バックエンドプロセッサ
７  再生条件設定部
８  再生条件制御部
９  記録部
１０  ＳＴＣ
１１  通信部
２０  携帯電話
２１  通信部
２２  再生条件制御部
２３  記録部
【図１】
2006018859.tif 000003
【図２】
2006018859.tif 000004
【図３】
2006018859.tif 000005
【図４】
2006018859.tif 000006
【図５】
2006018859.tif 000007
【図６】
2006018859.tif 000008
【図７】
2006018859.tif 000009
【図８】
2006018859.tif 000010
【図９】
2006018859.tif 000011
【図１０】
2006018859.tif 000012
【図１１】
2006018859.tif 000013